【手続補正書】
【提出日】平成21年9月18日(2009.9.18)
【手続補正１】
【補正対象書類名】特許請求の範囲
【補正対象項目名】全文
【補正方法】変更
【補正の内容】
【特許請求の範囲】
【請求項１】
記録用画像を撮影する第１撮像部と、
前記第１撮像部の撮影光路からの光束によって被写体の光学像を観察できる接眼部を有するファインダ光学系と、
前記第１撮像部および前記ファインダ光学系の一方に光束を導く可動ミラーと、
前記第１撮像部と異なる光路から前記光学像よりも広い範囲の視野確認画像を撮影する第２撮像部と、
前記接眼部に前記視野確認画像を提示する表示部と、
前記接眼部に前記光学像を提示する第１状態と、前記接眼部に前記視野確認画像を提示する第２状態とを切り替えるとともに、前記第２状態にあるときは前記第１撮像部に光束を導く位置に前記可動ミラーを移動させる制御部と、
を備えることを特徴とするカメラ。
【請求項２】
記録用画像を撮影する第１撮像部と、
前記第１撮像部の撮影光路からの光束によって被写体の光学像を観察できる接眼部を有するファインダ光学系と、
前記第１撮像部と異なる光路から前記光学像よりも広い範囲の視野確認画像を撮影する第２撮像部と、
前記接眼部に前記視野確認画像を提示する表示部と、
前記接眼部に前記光学像を提示する第１状態と、前記接眼部に前記視野確認画像を提示する第２状態とを切り替えるとともに、前記第２状態にあるときに絞りを絞り込む制御を実行する制御部と、
を備えることを特徴とするカメラ。
【請求項３】
記録用画像を撮影する第１撮像部と、
前記第１撮像部の撮影光路からの光束によって被写体の光学像を観察できる接眼部を有するファインダ光学系と、
前記第１撮像部および前記ファインダ光学系の一方に光束を導く可動ミラーと、
前記第１撮像部と異なる光路から前記光学像よりも広い範囲の視野確認画像を撮影する第２撮像部と、
前記接眼部に前記視野確認画像を提示する表示部と、
前記接眼部に前記光学像を提示する第１状態と、前記接眼部に前記視野確認画像を提示する第２状態とを切り替える第１制御部と、
前記第２状態にあるときに、前記第１撮像部に光束を導く位置に前記可動ミラーを移動させる第１モードと、絞りを絞り込む第２モードとの一方を実行する第２制御部と、
を備えることを特徴とするカメラ。
【請求項４】
請求項３に記載のカメラにおいて、
被写界の輝度を検出する測光部をさらに備え、
前記第２制御部は、前記輝度が閾値以上の場合に前記第１モードを実行し、前記輝度が閾値未満の場合に前記第２モードを実行することを特徴とするカメラ。
【請求項５】
外付けのカメラユニットを装着可能なカメラであって、
前記カメラユニットを連結するための取付部と、
記録用画像を撮影する撮像部と、
前記撮像部の撮影光路からの光束によって被写体の光学像を観察できる接眼部を有するファインダ光学系と、
前記撮像部および前記ファインダ光学系の一方に光束を導く可動ミラーと、
前記撮像部と異なる光路で撮影されるとともに前記光学像よりも広い範囲の視野確認画像を前記カメラユニットから受信する通信部と、
前記接眼部に前記視野確認画像を提示する表示部と、
前記接眼部に前記光学像を提示する第１状態と、前記接眼部に前記視野確認画像を提示
する第２状態とを切り替えるとともに、前記第２状態にあるときは前記撮像部に光束を導く位置に前記可動ミラーを移動させる制御部と、
を備えることを特徴とするカメラ。
【請求項６】
外付けのカメラユニットを装着可能なカメラであって、
前記カメラユニットを連結するための取付部と、
記録用画像を撮影する撮像部と、
前記撮像部の撮影光路からの光束によって被写体の光学像を観察できる接眼部を有するファインダ光学系と、
前記撮像部と異なる光路で撮影されるとともに前記光学像よりも広い範囲の視野確認画像を前記カメラユニットから受信する通信部と、
前記接眼部に前記視野確認画像を提示する表示部と、
前記接眼部に前記光学像を提示する第１状態と、前記接眼部に前記視野確認画像を提示する第２状態とを切り替えるとともに、前記第２状態にあるときに絞りを絞り込む制御を実行する制御部と、
を備えることを特徴とするカメラ。
【請求項７】
外付けのカメラユニットを装着可能なカメラであって、
前記カメラユニットを連結するための取付部と、
記録用画像を撮影する撮像部と、
前記撮像部の撮影光路からの光束によって被写体の光学像を観察できる接眼部を有するファインダ光学系と、
前記撮像部および前記ファインダ光学系の一方に光束を導く可動ミラーと、
前記撮像部と異なる光路で撮影されるとともに前記光学像よりも広い範囲の視野確認画像を前記カメラユニットから受信する通信部と、
前記接眼部に前記視野確認画像を提示する表示部と、
前記接眼部に前記光学像を提示する第１状態と、前記接眼部に前記視野確認画像を提示する第２状態とを切り替える第１制御部と、
前記第２状態にあるときに、前記撮像部に光束を導く位置に前記可動ミラーを移動させる第１モードと、絞りを絞り込む第２モードとの一方を実行する第２制御部と、
を備えることを特徴とするカメラ。
【請求項８】
請求項７に記載のカメラにおいて、
被写界の輝度を検出する測光部をさらに備え、
前記第２制御部は、前記輝度が閾値以上の場合に前記第１モードを実行し、前記輝度が閾値未満の場合に前記第２モードを実行することを特徴とするカメラ。
【請求項９】
第１の光学系を通過した光束による像を観察する接眼部を有するファインダ光学系と、
前記第１の光学系による画角よりも広い画角を有する第２の光学系による像を撮像する撮像部と、
前記撮像部により撮像された像を、前記接眼部を介して観察可能に表示する表示部と
前記表示部に前記撮像部により撮像された像が表示された状態において、前記第１の光学系を通過した光束を制限する制限部と、
を有することを特徴とする光学装置。
【手続補正２】
【補正対象書類名】明細書
【補正対象項目名】発明の名称
【補正方法】変更
【補正の内容】
【発明の名称】カメラおよび光学装置
【手続補正３】
【補正対象書類名】明細書
【補正対象項目名】０００１
【補正方法】変更
【補正の内容】
【０００１】
本発明は、望遠撮影などに適したファインダを有するカメラおよび光学装置に関する。
【手続補正４】
【補正対象書類名】明細書
【補正対象項目名】０００５
【補正方法】変更
【補正の内容】
【０００５】
第１の発明のカメラは、記録用画像を撮影する第１撮像部と、ファインダ光学系と、可動ミラーと、第２撮像部と、表示部と、制御部とを備える。ファインダ光学系は、第１撮像部の撮影光路からの光束によって被写体の光学像を観察できる接眼部を有する。可動ミラーは、第１撮像部およびファインダ光学系の一方に光束を導く。第２撮像部は、第１撮像部と異なる光路から光学像よりも広い範囲の視野確認画像を撮影する。表示部は、接眼部に視野確認画像を提示する。制御部は、接眼部に光学像を提示する第１状態と、接眼部に視野確認画像を提示する第２状態とを切り替える。また、制御部は、第２状態にあるときは第１撮像部に光束を導く位置に可動ミラーを移動させる。
【手続補正５】
【補正対象書類名】明細書
【補正対象項目名】０００６
【補正方法】変更
【補正の内容】
【０００６】
第２の発明のカメラは、記録用画像を撮影する第１撮像部と、ファインダ光学系と、第２撮像部と、表示部と、制御部とを備える。ファインダ光学系は、第１撮像部の撮影光路からの光束によって被写体の光学像を観察できる接眼部を有する。第２撮像部は、第１撮像部と異なる光路から光学像よりも広い範囲の視野確認画像を撮影する。表示部は、接眼部に視野確認画像を提示する。制御部は、接眼部に光学像を提示する第１状態と、接眼部に視野確認画像を提示する第２状態とを切り替える。また、制御部は、第２状態にあるときに絞りを絞り込む制御を実行する。
【手続補正６】
【補正対象書類名】明細書
【補正対象項目名】０００７
【補正方法】変更
【補正の内容】
【０００７】
第３の発明のカメラは、記録用画像を撮影する第１撮像部と、ファインダ光学系と、可動ミラーと、第２撮像部と、表示部と、第１制御部と、第２制御部とを備える。ファインダ光学系は、第１撮像部の撮影光路からの光束によって被写体の光学像を観察できる接眼部を有する。可動ミラーは、第１撮像部およびファインダ光学系の一方に光束を導く。第２撮像部は、第１撮像部と異なる光路から光学像よりも広い範囲の視野確認画像を撮影する。表示部は、接眼部に視野確認画像を提示する。第１制御部は、接眼部に光学像を提示する第１状態と、接眼部に視野確認画像を提示する第２状態とを切り替える。第２制御部は、第２状態にあるときに、第１撮像部に光束を導く位置に可動ミラーを移動させる第１モードと、絞りを絞り込む第２モードとの一方を実行する。
【手続補正７】
【補正対象書類名】明細書
【補正対象項目名】０００８
【補正方法】変更
【補正の内容】
【０００８】
第４の発明は、第３の発明において、被写界の輝度を検出する測光部をさらに備える。そして、第２制御部は、輝度が閾値以上の場合に第１モードを実行し、輝度が閾値未満の場合に第２モードを実行する。
なお、本発明のカメラは視野確認画像を撮影する撮像部を必ずしも内蔵していなくてもよい。例えば、外付けのカメラユニットで視野確認画像を撮影するとともに、カメラユニットから受信した視野確認画像を接眼部に提示するカメラや、上記のカメラおよびカメラユニットからなるカメラシステムも本発明の具体的態様に含まれる。
また、以下の光学装置も本発明の態様に含まれる。光学装置は、ファインダ光学系と、撮像部と、表示部と、制限部とを有する。ファインダ光学系は、第１の光学系を通過した光束による像を観察する接眼部を有する。撮像部は、第１の光学系による画角よりも広い画角を有する第２の光学系による像を撮像する。表示部は、撮像部により撮像された像を、接眼部を介して観察可能に表示する。制限部は、表示部に撮像部により撮像された像が表示された状態において、第１の光学系を通過した光束を制限する。